(57)【要約】【課題】特別な装置や熟練した技術を要することなく、箱の利用者の要望に応じた図柄を表示することができるとともに、容易に組み立てることができる箱組立用罫線付プリンタ用シートを提供するものである。【解決手段】箱を組み立てるために折り曲げる箱組立用罫線３，４，６が形成されているとともに、デジタル画像データの入力によりプリンタ９で図柄１０をプリントできる箱組立用罫線付プリンタ用シート１である。【選択図】図２
0003149881.tif 000002
【実用新案登録請求の範囲】
【請求項１】
箱を組み立てるために折り曲げる箱組立用罫線が形成されているとともに、デジタル画像データの入力によりプリンタでプリントできる箱組立用罫線付プリンタ用シート。
【請求項２】
前記箱組立用罫線は、罫線付プリンタ用シートの上部および下部のそれぞれに上辺および下辺から間隔をおいて直線状の谷折り罫線が平行に途中まで形成され、次いで楕円形の谷折り罫線が連続して形成され、次いで直線状の谷折り罫線が平行に連続して形成されるとともに、一方の直線状の谷折り罫線の間隔を他方の平行な直線状の谷折り罫線の間隔に比べてやや小さくして谷折り罫線に沿って二つ折りした際に一方の二つ折り部分を他方の二つ折り部分内に挿入可能にし、さらに楕円形の谷折り罫線の左右の頂点に接して上下方向に垂直の谷折り罫線が平行に形成されていることを特徴とする請求項１記載の箱組立用罫線付プリンタ用シート。
【考案の詳細な説明】
【技術分野】
【０００１】
本考案は、箱組立用の折り曲げ罫線が形成されているシートをプリンタでプリントし、折り曲げ罫線にしたがって折り曲げることにより箱を組み立てることができる、箱組立用罫線付プリンタ用シートに関する。
【背景技術】
【０００２】
紙箱には、収納した商品の名前や目に付きやすいように宣伝文句、あるいは図柄などが印刷表示されている（特許文献１）。
【０００３】
図３は従来の紙箱の一例を示し、（ａ）は箱の展開図で板紙の表側を示し、（ｂ）は箱の使用状態を示す斜視図である。
【０００４】
図３において、商品名や図柄を印刷をした適宜の板紙や段ボール紙などを用いて、打抜工程で、紙箱２８を展開した板紙２１を作製する。板紙２１は、前面板２２、第１側面板２３、後面板２４、第２側面板２５の表側に商品の名前、宣伝文句、カット等が印刷される。
【０００５】
印刷した板紙２１の前面板２２、第１側面板２３、後面板２４、第２側面板２５を山折り線２６に沿って折り曲げて第２側面部２５ののり代２７を前面板２２に貼着することにより紙箱が組み立てられる。
【先行技術文献】
【特許文献】
【０００６】
【特許文献１】特開２００２−１６６９２６号公報
【考案の概要】
【考案が解決しようとする課題】
【０００７】
従来、箱に印刷される図柄などの表示は、箱の素材となる多量のブランクにまとめて印刷するため、表示の内容の数が限られており、需要者はその中から選択せざるを得なくなる。特に箱に印刷された図柄を気にしない場合には構わないが、箱毎に表示内容の異なった印刷は行われていなかったし、箱の利用者の希望や好みに応じて表示内容を変更することは容易ではなかったため、慶弔など事情により既製の箱では利用者の要望に応えられない場合がある。また、特別の贈り物を入れる箱を使用する場合、贈り主、あるいは送り先の好みに合った図柄が表示された箱を容易に組み立てることができない。
【０００８】
そこで、本考案は、特別な装置や熟練した技術を要することなく、箱の利用者の要望に応じた図柄を表示することができるとともに、容易に組み立てることができる箱組立用罫線付プリンタ用シートを提供するものである。
【課題を解決するための手段】
【０００９】
本考案は、箱を組み立てるために折り曲げる箱組立用罫線が形成されているとともに、デジタル画像データの入力によりプリンタでプリントできる箱組立用罫線付プリンタ用シート（以下「罫線付プリンタ用シート」という。）である。
【００１０】
前記箱組立用罫線は、罫線付プリンタ用シートの上部および下部のそれぞれに上辺および下辺から間隔をおいて直線状の谷折り罫線が平行に途中まで形成され、次いで楕円形の谷折り罫線が連続して形成され、次いで直線状の谷折り罫線が平行に連続して形成されるとともに、一方の直線状の谷折り罫線の間隔を他方の平行な直線状の谷折り罫線の間隔に比べてやや小さくして谷折り罫線に沿って二つ折りした際に一方の二つ折り部分を他方の二つ折り部分内に挿入可能にし、さらに楕円形の谷折り罫線の左右の頂点に接して上下方向に垂直の谷折り罫線が平行に形成されていることを特徴とする。
【考案の効果】
【００１１】
本考案の罫線付プリンタ用シートは、一つの箱に対して利用者がパソコン、デジタルカメラの画像などから希望する文字、図柄、などを選択してプリンタで簡単にプリントできるとともに、罫線付プリンタ用シートに形成された折り曲げ罫線に沿って折り曲げることにより、容易に箱を組み立てることができる。その結果、箱ごとに図柄の異なるオリジナルの箱を家庭用のプリンタでも容易に組み立てることができる。
【図面の簡単な説明】
【００１２】
【図１】本考案の罫線付プリンタ用シートの平面図である。
【図２】本考案の罫線付プリンタ用シートをプリンタでプリントする状態を示す図である。
【図３】本考案の罫線付プリンタ用シートにプリントした例を示す図である。
【図４】本考案の罫線付プリンタ用シートから箱を組み立てる手順を示す図である。
【図５】図３は従来の紙箱の一例を示し、（ａ）は箱の展開図で板紙の表側を示し、（ｂ）は箱の使用状態を示す斜視図である。
【考案を実施するための形態】
【００１３】
本考案の実施例について図面を参照しながら説明する。
【実施例１】
【００１４】
図１において、罫線付プリンタ用シート１は、通常、箱の組立に利用されているシートのうち、プリンタにセットしてプリント可能な材質、大きさおよび厚みをした四角形のシートであればよい。
【００１５】
罫線付プリンタ用シート１には、ケースを形成するための折り曲げ罫線２〜６がプレス加工により形成されている。図１に示す折り曲げ罫線２〜６は、罫線付プリンタ用シート１の上部および下部のそれぞれに上辺及び下辺から間隔をおいて直線状の谷折り罫線２が左辺から途中まで形成され、次いで楕円形の谷折り罫線３，４が連続して形成され、さらに楕円形の谷折り罫線３，４に次いで前記の直線状の谷折り罫線２と同様に上辺及び下辺から間隔をおいて直線状の谷折り罫線５が連続して形成されている。右側の直線状の谷折り罫線５の間隔Ｗ５は、左側の平行な直線状の谷折り罫線２の間隔Ｗ２に比べてやや小さくして谷折り罫線５に沿って二つ折りした際に、左の曲げ部分を右の曲げ部分に形成された隙間１１に容易に差し込んで結合できるようにする。
【００１６】
さらに楕円形の谷折り罫線３，４の左右の頂点に接して上下方向に垂直の谷折り罫線６が平行に形成されている。楕円形の面７，８により、ケースを組み立てると天板と底板（あるいは向きによって両側板）が形成される。
【００１７】
図２、図３において、罫線２〜６が形成された罫線付プリンタ用シート１には、パソコンで作製した文字や図柄、デジタルカメラ、携帯電話、スキャナあるいはインターネットなどから得られる多くのデジタル画像から好みのデザイン１０を選択してプリンタ９に入力してプリントすることができる。したがって、オリジナルのデザインを有するケースを組み立てることができる。プリントする位置は特に限定されるものではなく、デザインに応じて、裏、表あるいは側面にプリントすることができる。
【００１８】
本考案の罫線付プリンタ用シートによる箱の組立手順は次のとおりである。
図２に示すように、罫線２〜６が設けられた罫線付プリンタ用シート１をプリンタ９にセットし、プリンタ９にプリントする画像データをパソコンなどから入力して好みのデザイン１０をプリントする。
【００１９】
プリント終了後、図４（ａ）に示すように、罫線付プリンタ用シート１の上辺と下辺をプリント面と反対側に直線状の谷折り罫線２，５に沿って谷折りするとともに、上辺と下辺側の楕円形の谷折り罫線３，４に沿って谷折りする。
【００２０】
次いで垂直の谷折り罫線６で谷折りして、両側を互いに近づくように曲げて行き、間隔がやや小さい一方の曲げ部分を間隔がやや大きい平行の曲げ部分に形成された隙間１１に差し込んで結合させる。楕円形の谷折り罫線３，４が谷折りされることにより楕円形の面７，８により天板と底板が形成される。本実施例の罫線では、糊を使うことなく箱を組み立てることができる。
【符号の説明】
【００２１】
１：プリンタ用シート
２：直線状の折り曲げ罫線
３，４：楕円形の谷折り罫線
５：直線状の折り曲げ罫線
６：垂直の谷折り罫線
７，８：楕円形の面
９：プリンタ
１０：デザイン
１１：隙間
２１：板紙
２２：前面板
２３：第１側面板
２４：後面板
２５：第２側面板
２６：山折り線
２７：のり代
２８：紙箱
【図１】
0003149881.tif 000003
【図２】
0003149881.tif 000004
【図３】
0003149881.tif 000005
【図４】
0003149881.tif 000006
【図５】
0003149881.tif 000007